(57)【要約】【課題】  チューナ以外の音源を動作させているとき受信可能な放送局を検出し、当該放送局の選局データをプリセットしておく車載用オーディオ装置を得る。【解決手段】  音声信号を出力させる音源としてチューナ部１が選択されているか否かを判断するチューナ選択判断手段１３と、チューナ選択判断手段１３からチューナ部１が選択されていない旨を示す信号を入力したとき、当該チューナ部１の電子同調回路１ａを制御して受信帯域全体を走査させる帯域走査手段１４と、この走査により受信した放送局を複数のプリセット釦にプリセットするプリセット制御手段１８とを備えた。【選択図】        図１
2006109159.tif 000002
【特許請求の範囲】
【請求項１】
放送電波を受信するチューナと、メディアから音声信号を再生する再生手段とを有する音源と、
これらいずれかの音源を選択する音源選択手段と、
前記音源選択手段が前記チューナを選択したか否かを判断するチューナ選択判断手段と、
前記チューナ選択判断手段からチューナが選択されていない旨を示す信号を入力したとき当該チューナを制御して受信帯域全体を走査させる帯域走査手段と、
前記帯域走査手段の制御によりチューナが受信した放送局を複数のプリセット釦にプリセットするプリセット制御手段とを備えた車載用オーディオ装置。
【請求項２】
予め設定された時間毎にチューナ選択判断手段を動作させるタイマを備えたことを特徴とする請求項１記載の車載用オーディオ装置。
【請求項３】
タイマは、車両が異なる放送エリアへ移動するときに要する時間の間隔をおいて動作させることを特徴とする請求項２記載の車載用オーディオ装置。
【請求項４】
帯域走査手段の制御によりチューナが受信した放送局をプリセット制御手段がプリセットしたことを示す表示手段をプリセット釦に対応させて備えたことを特徴とする請求項１記載の車載用オーディオ装置。
【発明の詳細な説明】
【技術分野】
【０００１】
この発明は、チューナにプリセットされている放送局を受信可能な放送局へ自動的に更新する車載用オーディオ装置に関するものである。
【背景技術】
【０００２】
従来のオーディオ装置は、プリセット釦を操作して選局データを設定するとき、現在選局データの書き込み状態であることをＬＥＤ等を点灯させて表示するものがある。また、選局データを書き込むとき、ミューティング回路により受信信号の音声をミュートしておいて、音源部から選局データの書き込み状態であることを示す報知音を発生させるものがある。これらのオーディオ装置は、いずれもユーザがプリセット釦を操作したときに選局データがプリセットされ、点灯表示や報知音によって書き込み状態をユーザに知らせるものである（例えば、特許文献１参照）。
【０００３】
【特許文献１】実開昭６３−１５９９２６号公報（第６〜７頁、第１，２図）
【発明の開示】
【発明が解決しようとする課題】
【０００４】
従来のオーディオ装置は以上のように構成されているので、車載用オーディオ装置のように受信場所を移動させて使用すると、プリセットされている放送局が受信不可能になる、もしくは受信状態が極めて悪くなるという不具合が生じる。プリセット釦による選局機能を利用するためには、ユーザが受信場所の移動に伴ってオーディオ装置を操作し、プリセットされている選局データを受信可能なものに更新しなければならないという課題があった。
【０００５】
この発明は上記のような課題を解決するためになされたもので、チューナ以外の音源、例えば再生手段を動作させているときに受信可能な放送局を検出し、当該放送局の選局データをプリセットしておく車載用オーディオ装置を得ることを目的とする。
【課題を解決するための手段】
【０００６】
この発明に係る車載用オーディオ装置は、いずれかの音源を選択する音源選択手段と、音源選択手段がチューナを選択したか否かを判断するチューナ選択判断手段と、チューナ選択判断手段からチューナが選択されていない旨を示す信号を入力したとき当該チューナを制御して受信帯域全体を走査させる帯域走査手段と、帯域走査手段の制御によりチューナが受信した放送局を複数のプリセット釦にプリセットするプリセット制御手段とを備えたものである。
【発明の効果】
【０００７】
この発明によれば、音源選択手段がチューナを選択したか否かを判断するチューナ選択判断手段と、チューナが選択されていないとチューナ選択判断手段が判断したときチューナを制御して受信帯域全体を走査させる帯域走査手段と、チューナが受信した放送局を複数のプリセット釦にプリセットするプリセット制御手段とを備えたので、チューナを音源としたとき、受信場所が移動していてもプリセット機能による選局が可能になりラジオ放送等をすぐに聴取させることができるという効果がある。
【発明を実施するための最良の形態】
【０００８】
以下、この発明の実施の一形態を説明する。
実施の形態１．
図１は、この発明の実施の形態１による車載用オーディオ装置の構成を示すブロック図である。図示した車載用オーディオ装置は、アンテナ２０を用いてラジオ等の放送電波を受信し、音声信号を出力するチューナ部１と、例えば、オーディオ用コンパクトディスク（以下、ＣＤと記載する）からデータを読み出し、音声信号を再生出力するＣＤ再生部２とを音源として備える。チューナ部１及びＣＤ再生部２は切り替え部３へそれぞれ音声信号を出力する。切り替え部３は、チューナ部１あるいはＣＤ再生部２のいずれかから出力される音声信号をボリューム回路４へ出力する。ボリューム回路４は、切り替え部３から入力した音声信号の音量を調節して、ミューティング回路５を介してパワーアンプ６へ出力する。パワーアンプ６はミューティング回路５から入力した音声信号を増幅してスピーカ７へ出力する。操作部８は、ユーザに操作させる複数の押し釦等を備え、当該操作に基づく設定信号を生成して、車載用オーディオ装置の動作を制御する制御部１０へ出力する。
【０００９】
チューナ部１は、受信周波数を変化させて放送電波との同調を図る電子同調回路１ａを備え、制御部１０から出力される制御信号によって電子同調回路１ａの動作、即ち受信周波数の変更等が制御されるように当該制御部１０と接続されている。
制御部１０は、例えばマイクロプロセッサを備え、チューナ部１の選局動作、ＣＤ再生部２のＣＤ再生動作、切り替え部３の切り替え動作、ボリューム回路４の音量調節動作、ミューティング回路５のミューティング動作等を制御する。
【００１０】
制御部１０には、操作部８から入力した設定信号に基づいて切り替え部３の切り替え動作とＣＤ再生部２の動作を制御する音源選択手段１１、所定の時間毎に音源選択手段１１が選択している音源を示す信号をチューナ選択判断手段１３へ出力するタイマ１２、音源選択手段１１がチューナ部１を音源として選択しているか否かを判断するチューナ選択判断手段１３、チューナ選択判断手段１３がチューナ部１が音源に選択されていないと判断したとき、チューナ部１に受信帯域全体を走査させる帯域走査手段１４を備える。また、チューナ部１の受信している電波の電界強度を検出する電界強度検出手段１５、電界強度検出手段１５が検出した電界強度が所定の閾値以上か否かを判定し、プリセットの要否を判断するプリセット要否判断手段１６、電解強度が閾値以上と判断された放送局を選局データとして順次記憶するメモリ１７、操作部８に行われた選局操作に応じてメモリ１７に記憶された選局データを例えばプリセット要否判断手段１６を介して読み出し当該選局データの内容をチューナ部１に設定するプリセット制御手段１８を備える。
なお、図１のブロック図において、各構成手段等をつなぐ実線の矢印は、後述する動作説明のうち、チューナ部１が音源として選択されておらず、プリセットされる選局データを更新するときの各信号等の経路を示すもので、例えばチューナ部１が音源として選択され、プリセット制御手段１８が操作部８に行われた操作に基づいて選局データをチューナ部１へ設定するとき各構成手段の間で入出力される各信号の経路等は図示を省略している。
【００１１】
図２は、実施の形態１による車載用オーディオ装置の操作パネルの構成を示す説明図である。この図２は、図１の操作部８に備えられる操作パネル８ａの一例を示したもので、複数の操作釦等の配置例を表している。操作パネル８ａには、音源を選択させる、即ちチューナ部１あるいはＣＤ再生部２のいずれかを選択させるラジオ／ＣＤモード選択釦２１、ＣＤ再生部２の動作を設定するＣＤ操作釦２２、プリセットされているラジオ等の放送局を選択させるプリセット釦２３、プリセットされている選局データが更新されたことを示す表示部２４、スピーカ７から出力される音量の設定を行うボリューム設定釦２５等を備える。プリセット釦２３は、プリセットされる放送局にそれぞれ対応させた釦で、複数の釦からなる。例えば、操作パネル８ａのプリセット釦２３は６個の釦からなり、６局の放送局がプリセットされるように構成したものである。表示部（表示手段）２４は、例えばＬＥＤなどの発光素子を備え、各プリセット釦２３に対応させて複数個の表示部２４が配置される。操作パネル８ａでは各プリセット釦２３近傍にそれぞれ一つずつ、計６個備えられる。操作部８は、このような操作パネル８ａや、操作パネル８ａの各釦操作に応じて設定信号等を出力する図示を省略した信号出力部等により構成される。
【００１２】
次に動作について説明する。
実施の形態１による車載用オーディオ装置は、操作パネル８ａのラジオ／ＣＤモード選択釦２１が操作され、チューナ部１の受信音声を聴取させるラジオモードが設定されたとき、制御部１０は、操作部８から入力した設定信号に基づいた切り替え制御信号を生成する。制御部１０は、この切り替え制御信号を切り替え部３へ出力して、ボリューム回路４に接続させる音源を切り替えさせ、チューナ部１から出力される音声信号をボリューム回路４へ入力させる。操作部８のボリューム設定釦２５が操作されたとき、制御部１０は、操作部８から入力した設定信号に基づいてボリューム回路４を制御し、ボリューム回路４へ入力された音声信号の音量を調節させる。ボリューム回路４において音量が調節された音声信号は、ミューティング回路５を介してパワーアンプ６へ出力される。パワーアンプ６は、ミューティング回路５を介して入力した音声信号を増幅し、スピーカ７を駆動して音声を出力させる。
【００１３】
操作パネル８ａのプリセット釦２３が操作されたとき、制御部１０は、操作されたプリセット釦２３に対応している選局データをメモリ１７から読み出し、当該選局データが示す放送局を受信するようにチューナ部１を制御する。詳しくは、制御部１０のプリセット制御手段１８が、例えばプリセット要否判断手段１６を用いてメモリ１７から所望の選局データを読み出し、チューナ部１の電子同調回路１ａへ当該選局データに記述されている周波数等のデータを送り、この周波数に同調させて所望の放送局を受信させる。この制御において制御部１０は、ミューティング回路５を制御して、電子同調回路１ａが受信放送局を変更する動作を終えるまで、即ち変更先の放送局の電波を受信するまでの間、パワーアンプ６へ出力する音声信号をミュートさせる。
【００１４】
操作パネル８ａのラジオ／ＣＤモード選択釦２１が操作され、ＣＤを再生させてオーディオ出力を行うＣＤモードが設定されたとき、制御部１０は、操作部８から入力した設定信号に基づく切り替え信号を切り替え部３へ出力し、ＣＤ再生部２とボリューム回路４とを接続させる。このときチューナ部１とボリューム回路４は接続されない。制御部１０は、ＣＤ操作釦２２の操作などによりＣＤ再生が設定されたとき、ＣＤ再生部２を制御して再生動作を行わせ、ＣＤ再生部２から出力された音声信号を切り替え部３を介してボリューム回路４へ出力させる。ＣＤ再生部２から音声信号が出力された後、ボリューム回路４などの動作は、チューナ部１から音声信号が出力されたときと同様に動作してスピーカ７から音声が出力される。
【００１５】
制御部１０は、操作部８に行われた操作においてチューナ部１以外の音源が選択されたとき、例えば前述のようにＣＤモードが選択され、ＣＤ再生部２を音源としてオーディオ出力を行うとき、即ち、ＣＤ再生部２とボリューム回路４とを接続するように切り替え部３を制御したときに、チューナ部１の選局動作に使用する選局データの更新を行う。
図３は、実施の形態１による車載用オーディオ装置の制御部の動作を示すフローチャートである。この図は、上記説明のようにチューナ部１以外の音源を動作させているとき、プリセットされている選局データを更新する処理過程を示したものである。
前述のように操作部８からＣＤモードの設定信号が出力されたとき、制御部１０の音源選択手段１１は、操作部８から入力した設定信号に基づいて切り替え部３を制御し、ＣＤ再生部２とボリューム回路４とを接続させる。また、ＣＤ再生部２へＣＤ再生を行うように制御信号を出力する。また、このとき制御部１０の音源選択手段１１は、選択された音源を示す信号を、タイマ１２を介してチューナ選択判断手段１３へ出力する。
【００１６】
タイマ１２は、音源選択手段１１から出力される選択された音源を示す信号を所定の時間毎に、例えば数十分程度の時間の間隔をおいてチューナ選択判断手段１３へ出力する。この間隔は、車載用オーディオ装置を搭載した車両等が移動することにより、受信可能な放送局が変わってしまう時間、即ち異なる放送局の放送エリアへ移動する時間に対応させて設定されるものである。
チューナ選択判断手段１３は、タイマ１２から選択された音源を示す信号を入力したとき、この信号がチューナ部１が音声出力を行う音源に選択されていないことを示しているか否かを判断する（ステップＳＴ１０１）。チューナ部１が選択されている場合は、当該チューナ部１が選択されている間、このステップＳＴ１０１の過程を繰り返す。チューナ部１が選択されていないと判断した場合は、帯域走査手段１４へその旨を示す信号を出力する。
帯域走査手段１４は、チューナ選択判断手段１３からチューナ部１が選択されていない旨を示す信号を入力すると、チューナ部１の電子同調回路１ａを制御して受信可能な帯域全体を走査させる。この走査は、例えば受信帯域の下限の周波数から上限の周波数へ向って行い、受信可能な放送局を順次捜す（ステップＳＴ１０２）。
【００１７】
電子同調回路１ａが受信帯域内の走査を行っているとき、制御部１０の電界強度検出手段１５は、チューナ部１が受信した電波信号の強度即ち電界強度を検出する。プリセット要否判断手段１６は、電界強度検出手段１５が検出した電界強度を入力し、この値が予め設定されている閾値以上か否かを判断する（ステップＳＴ１０３）。チューナ部１から検出した電界強度が閾値より小さいと判断したときは、ステップＳＴ１０２の過程に戻って残りの受信帯域の走査を続行する。ステップＳＴ１０３において、電界強度が閾値以上であると判断したとき、当該プリセット要否判断手段１６は、この電界強度を有する受信周波数をその内容とした選局データを生成する。この受信周波数は、例えば、電界強度検出手段１５がチューナ部１から電界強度と共に検出したもので、電界強度検出手段１５からプリセット要否判断手段１６へ入力される。プリセット要否判断手段１６は、生成した選局データをプリセット釦２３へ割当てる（ステップＳＴ１０４）。
【００１８】
選局データと各プリセット釦２３との対応は、例えばチューナ部１の電子同調回路１ａが低い周波数から高い周波数へ走査する場合には、受信順に各放送局の選局データとプリセット釦２３の番号とを対応させ、各選局データに各々プリセット釦２３を設定する。この後、メモリ１７に記憶されている選局データの中から、新たに生成した選局データと同じ放送局を示すものを検索し、新たに生成した選局データを更新するか否かを判断する（ステップＳＴ１０５）。ここでプリセット要否判断手段１６は、例えば、同じプリセット釦２３に同じ放送局を設定した選局データが既にある場合は更新を行わず、それ以外の場合は新たに生成したものに更新するというように判断する。
選局データを新たに生成したものに更新すると判断した場合は、その選局データをメモリ１７へ書き込んでプリセットし、この選局データに設定されたプリセット釦２３の番号に対応させた表示部２４を点灯させる（ステップＳＴ１０６）。ステップＳＴ１０５の過程において、選局データを更新しないと判断した場合は、例えば当該生成した選局データを破棄し、ステップＳＴ１０２の過程に戻り、残りの受信帯域の走査を続行し、以降の各過程を繰り返す。
【００１９】
ここまで説明したステップＳＴ１０１〜ステップＳＴ１０６の過程は、タイマ１２が音源選択手段１１から出力される選択された音源を示す信号をチューナ選択判断手段１３へ出力する度に、即ちタイマ１２がチューナ選択判断手段１３を動作させる度に行われる。メモリ１７に更新設定された選局データは、前述のように操作部８のプリセット釦２３が操作されたときプリセット制御手段１８の制御によって読み出される。また、プリセット制御手段１８は、読み出された選局データに基づいてチューナ部１の電子同調回路１ａを制御し、チューナ部１に受信させる放送局の選局動作を制御する。
【００２０】
以上のように実施の形態１によれば、チューナ部１が音声出力を行う音源として選択されていないときに、プリセットする選局データを受信可能な放送局のものに更新するようにしたので、チューナ部１が音声出力を行う音源に選択されたときに受信場所が移動していてもプリセット機能による選局が可能になり、ラジオ放送等をすぐに聴取させることができるという効果がある。
また、チューナ選択判断手段１３が、タイマ１２に設定された時間の間隔をおいてチューナ部１が選択されているか否かを判断するようにしたので、プリセットされる選局データを適宜更新することにより消費電力の節約を図ることができるという効果がある。
【図面の簡単な説明】
【００２１】
【図１】この発明の実施の形態１による車載用オーディオ装置の構成を示すブロック図である。
【図２】実施の形態１による車載用オーディオ装置の操作パネルの構成を示す説明図である。
【図３】実施の形態１による車載用オーディオ装置の制御部の動作を示すフローチャートである。
【符号の説明】
【００２２】
１  チューナ部、１ａ  電子同調回路、２  ＣＤ再生部（メディア再生手段）、３  切り替え部、４  ボリューム回路、５  ミューティング回路、６  パワーアンプ、７  スピーカ、８  操作部、８ａ  操作パネル、１０  制御部、１１  音源選択手段、１２  タイマ、１３  チューナ選択判断手段、１４  帯域走査手段、１５  電界強度検出手段、１６  プリセット要否判断手段、１７  メモリ、１８  プリセット制御手段、２０  アンテナ、２１  ラジオ／ＣＤモード選択釦、２２  ＣＤ操作釦、２３  プリセット釦、２４  表示部（表示手段）、２５  ボリューム設定釦。
【図１】
2006109159.tif 000003
【図２】
2006109159.tif 000004
【図３】
2006109159.tif 000005